(57)【要約】      （修正有）【課題】排気と給気を同時に行い、換気の効率が高い換気装置を提供する。【解決手段】回転時の作用として相対する給気用プロペラファン１と排気用プロペラファン２をプロペラファン取付軸３に取付ける。給気用送風管を外部給気用送風管６−１と内部給気用送風管６−２に、排気用送風管を外部排気用送風管７−１と内部排気用送風管７−２に分断することで形成する隙間Ａに、プロペラファン取付軸３を設置する。隙間Ａを、シールドし且つ給気と排気を整流する為の外側送風管シールド整流リング５−１、内側送風管シールド整流リング５−２をプロペラファン取付軸３に結合させる。【選択図】図１
0003160148.tif 000002
【実用新案登録請求の範囲】
【請求項１】
回転時の作用として相対する給気用プロペラファン（１）と排気用プロペラファン（２）をプロペラファン取付軸（３）に取付けた換気装置。
【請求項２】
給気用送風管を（外部）（６−１）と（内部）（６−２）に、排気用送風管を（外部）（７−１）と（内部）（７−２）に分断することで隙間（Ａ）を形成し、プロペラファン取付軸（３）の回転を可能とした、請求項１記載の換気装置。
【請求項３】
給気用送風管を（外部）（６−１）と（内部）（６−２）に分断、排気用送風管を（外部）（７−１）と（内部）（７−２）に分断することで形成されるプロペラファン取付軸（３）回転用の隙間（Ａ）を、シールドし且つ給気と排気を整流する為の送風管シールド整流リング（外側）（５−１）送風管シールド整流リング（内側）（５−２）をプロペラファン取付軸（３）に結合させた事を特徴とする請求項１記載の換気装置。
【請求項４】
プロペラファンに回転を伝達するモーター回転軸（１４）に近い排気用送風管（外部）（７−１）と（内部）（７−２）の排気用送風管開口部（外部）（７−３）と（内部）（７−４）を、当該排気用送風管の外周に隣接する給気用送風管（外部）（６−１）と（内部）（６−２）の給気用送風管開口部（外部）（６−３）と（内部）（６−４）の位置より前方に設定し、給気用送風管開口部（外部）（６−３）と排気用送風管開口部（外部）（７−３）及び給気用送風管開口部（内部）（６−４）と排気用送風管開口部（内部）（７−４）で、排気と給気が混じり合う事を回避する為、相対的に内側となる送風管をその外周に隣接する送風管より長く設定し、開口部を突出させる事を特徴とする請求項１記載の換気装置。
【考案の詳細な説明】
【技術分野】
【０００１】本考案は、プロペラファン換気装置の構成要素として複数枚有り、夫々の一枚は機能として、同一方向回転時には排気または給気の一方に限定されるプロペラファンを、相対する排気と給気が同時に出来る形状に区分し配置した換気装置である。
【背景技術】
【０００２】従来、換気装置の分類は、事業用と家庭用、作業効率、消費電力、送風用ファンの形状を基準とするが、機能については、排気及び給気に集約が出来る。換気装置の機能である排気及び給気は、ファンの回転方向を変更する事で内部の気体を外部に、外部の気体を内部に導く事にあるが、現状では、排気と給気を同時進行で一機の換気装置が処理する製品は製造されておらず、換気効率の改善に加え、環境対策の面からも消費電力を無駄にしない換気装置の開発が望まれている。
【考案の開示】
【考案が解決しようとする課題】
【０００３】換気装置の設置を必要とする場所は、法的な義務による他、個人的な設置も多く存在するが、共通点は、可能な限り設置費用が節約出来ることと効率の良い換気ができる事にある。特に、企業は設備投資額を始め維持費である保守費用・電気代の節約が出来る環境にも優しい設備を求めている。本考案は、一機の換気装置に、排気と給気を同時に行う機能を持たせることで換気の効率を高め、排気装置と給気装置を別々に設置したり、スイッチの切換によりその都度排気と給気を行う不合理を解消しようとするものである。更に、本考案は小型化によりコンピュータ内部のＣＰＵを冷却するＣＰＵクーラーとしても、放熱と同時に給気をＣＰＵ周辺より直接誘導することで、今迄とは違う気体の効率的で継続的な流れを発生させ、強制的に帯熱部に送風し冷却効果を高める事が可能となる。
【課題を解決するための手段】
【０００４】回転時の作用として相対する給気用プロペラファン（１）と排気用プロペラファン（２）をプロペラファン取付軸（３）に取付けた請求項１記載の換気装置で、給気用送風管を（６−１）と（６−２）に、排気用送風管を（７−１）と（７−２）に分断することで図３に表示した隙間（Ａ）を形成し、プロペラファン取付軸（３）の回転を可能とした請求項１記載の換気装置である。更に、給気用送風管を外部（６−１）と内部（６−２）に分断、排気用送風管を外部（７−１）と内部（７−２）に分断することで形成されるプロペラファン取付軸（３）回転用の隙間（Ａ）を、シールドし且つ整流する為の送風管シールド整流リング外側（５−１）内側（５−２）を、プロペラファン取付軸（３）に結合させた請求項１記載の換気装置であり、機能として相対する排気と給気を換気装置の外部送風管と内部送風管の開口部（６−３）と（７−３）及び（６−４）と（７−４）で混合させない為、排気用送風管（７−１）（７−２）をその外周に隣接する給気用送風管（６−１）（６−２）より長く設置した請求項１記載の換気装置である。
【考案の効果】
【０００５】建築物に、換気装置として換気扇が設置される場合、設置場所の特性に合わせて風量、運転時の静粛性、送風時の風の広がりが考慮される。本考案は、換気を必要とする場所に一機だけの設置で、排気と給気の機能が同時に発揮できる事を特徴とし、現存する換気扇が排気専用、給気専用であったり、スイッチの切り替えで回転の方向を変え排気と給気を行う仕様とは大きな違いを持つ。又、一機の設置でもダクトとの組合せにより排気専用の場所と給気専用の場所を特定して運用が可能なこと、更に、本考案の構造的な特徴より、モーターを中心に同心円状に配置した送風管を増加させ、増加させた送風管に見合うだけのプロペラファンを取付ける事で、排気場所と給気場所の拡張や、プロペラファンの形状を変えることで、様々な形態の排気と給気が可能となる。排気及び給気に伴う室内の気圧の変化も一機の設置で相殺が可能な事や、プロペラファンの形状と送風管の口径を変化させ、目的に合わせた気圧の管理が出来る効果も大きい。
【考案を実施するための最良の形態】
【０００６】本考案である換気装置を基本的な設置形態である単一の装置として設置する場合、第一種換気より第三種換気の全てに対応が可能で、住宅・事務所・工場及び第一次産業である農業・林業・漁業で必要となる全般換気・局所換気に設置が可能である。尚、如何なる設置においても換気場所の内外で通常発生する気圧差を一機の設置で解決できる効果は大きい。更に、当該換気装置は小型化により精密機器のパーツとしても利用価値が生まれ、コンピュータ内部に組み込まれたＣＰＵを冷却するＣＰＵクーラーとしても、効率よく放熱と送風を同時に行い帯熱部を冷却する部品となる。
一方、本考案である換気装置を他の設備と組み合わせて設置する場合、ダクトとの組み合わせが有効であり、当該換気装置の特徴で同心円状となる給気用送風管と排気用送風管の内部（室内部分）を共に伸張させ、ダクトに連結することで送風管及びダクト自体が室内の温度を蓄積し放熱する熱交換機にも利用可能となる。この場合、単に換気装置ではなく空調の役目も持ち、給気用送風管と排気用送風管では隣接した送風管の壁面を介し給気の熱エネルギーと排気の熱エネルギーで熱交換が行われ、室内温度の急激な変化を回避する換気が行われる。更に、効率の良い熱交換を行う為に冷暖房器具の有る室内での設置は、対流式暖房器具の有る室内であればその真上に給排気用ダクトを設置し、冷房機器の有る室内では冷風が当たる位置に給排気用ダクトを設置する形態が最良と判断する。
【図面の簡単な説明】
【０００７】
【図１】換気装置の分解図である。
【図２】換気装置の側面図である。
【図３】図２楕円部の拡大図である。
【図４】図２側面図のＩ−Ｉ’断面図である。
【符号の説明】
【０００８】１        給気用プロペラファン
２        排気用プロペラファン
３        プロペラファン取付軸
４        プロペラファン取付軸固定基部
５−１    送風管シールド整流リング（外側）
５−２    送風管シールド整流リング（内側）
６−１    給気用送風管（外部）
６−２    給気用送風管（内部）
６−３    給気用送風管開口部（外部）
６−４    給気用送風管開口部（内部）
７−１    排気用送風管（外部）
７−２    排気用送風管（内部）
７−３    排気用送風管開口部（外部）
７−４    排気用送風管開口部（内部）
８−１    送風管固定用支柱ａ（外部）
８−２    送風管固定用支柱ｂ（外部）
８−３    送風管固定用支柱ｃ（内部）
８−４    送風管固定用支柱ｄ（内部）
９−１    内部送風管合体結合部
９−２    外部送風管合体結合部
１０−１  内部送風管合体結合固定部
１０−２  外部送風管合体結合固定部
１１      送風管合体結合用ボルト
１２      送風管合体結合用ナット
１３      モーター
１４      モーター回転軸
Ａ        プロペラファン取付軸（３）回転用の隙間
【図１】
0003160148.tif 000003
【図２】
0003160148.tif 000004
【図３】
0003160148.tif 000005
【図４】
0003160148.tif 000006
【手続補正書】
【提出日】平成22年3月8日(2010.3.8)
【手続補正１】
【補正対象書類名】実用新案登録請求の範囲
【補正対象項目名】請求項２
【補正方法】変更
【補正の内容】
【請求項２】
給気用送風管を外部給気用送風管（６−１）と内部給気用送風管（６−２）に、排気用送風管を外部排気用送風管（７−１）と内部排気用送風管（７−２）に分断することで形成する隙間（Ａ）に、給気用プロペラファン（１）と排気用プロペラファン（２）を取付けたプロペラファン取付軸（３）を設置した事を特徴とする請求項１記載の換気装置。
【手続補正２】
【補正対象書類名】実用新案登録請求の範囲
【補正対象項目名】請求項３
【補正方法】変更
【補正の内容】
【請求項３】
給気用送風管を外部給気用送風管（６−１）と内部給気用送風管（６−２）に、排気用送風管を外部排気用送風管（７−１）と内部排気用送風管（７−２）に分断することで形成する給気用プロペラファン（１）と排気用プロペラファン（２）を取付けたプロペラファン取付軸（３）設置用の隙間（Ａ）を、シールドし且つ給気と排気を整流する為の外側送風管シールド整流リング（５−１）、内側送風管シールド整流リング（５−２）をプロペラファン取付軸（３）に結合させた事を特徴とする請求項１記載の換気装置。
【手続補正３】
【補正対象書類名】実用新案登録請求の範囲
【補正対象項目名】請求項４
【補正方法】変更
【補正の内容】
【請求項４】
プロペラファンに回転を伝達するモーター回転軸（１４）に近い外部排気用送風管（７−１）と内部排気用送風管（７−２）の外部排気用送風管開口部（７−３）と内部排気用送風管開口部（７−４）を、当該外部排気用送風管及び内部排気用送風管の外周に隣接する外部給気用送風管（６−１）と内部給気用送風管（６−２）の外部給気用送風管開口部（６−３）と内部給気用送風管開口部（６−４）の位置より前方に設定し、外部給気用送風管開口部（６−３）と外部排気用送風管開口部（７−３）及び内部給気用送風管開口部（６−４）と内部排気用送風管開口部（７−４）で、排気と給気が混じり合う事を回避する為、相対的に内側となる送風管をその外周に隣接する送風管より長く設定し、開口部を突出させる事を特徴とする請求項１記載の換気装置。
【手続補正４】
【補正対象書類名】明細書
【補正対象項目名】０００４
【補正方法】変更
【補正の内容】
【０００４】回転時の作用として相対する給気用プロペラファン（１）と排気用プロペラファン（２）をプロペラファン取付軸（３）に取付けた請求項１記載の換気装置で、給気用送風管を外部給気用送風管（６−１）と内部給気用送風管（６−２）に、排気用送風管を外部排気用送風管（７−１）と内部排気用送風管（７−２）に分断することで、給気用プロペラファン（１）と排気用プロペラファン（２）を取付けたプロペラファン取付軸（３）設置用の隙間（Ａ）を形成した、請求項１記載の換気装置である。更に、給気用送風管を外部給気用送風管（６−１）と内部給気用送風管（６−２）に、排気用送風管を外部排気用送風管（７−１）と内部排気用送風管（７−２）に分断することで形成されるプロペラファン取付軸（３）設置用の隙間（Ａ）を、シールドし且つ整流する為の外側送風管シールド整流リング（５−１）、内側送風管シールド整流リング（５−２）をプロペラファン取付軸（３）に結合させた請求項１記載の換気装置であり、機能として相対する給気と排気を換気装置の外部給気用送風管開口部（６−３）と外部排気用送風管開口部（７−３）及び内部給気用送風管開口部（６−４）と内部排気用送風管開口部（７−４）で混合させない為、外部排気用送風管（７−１）と内部排気用送風管（７−２）をその外周に隣接する外部給気用送風管（６−１）と内部給気用送風管（６−２）より長く設置した請求項１記載の換気装置である。
【手続補正５】
【補正対象書類名】明細書
【補正対象項目名】０００６
【補正方法】変更
【補正の内容】
【０００６】本考案である換気装置を、基本的な設置形態である単一の装置として設置する場合、第一種換気より第三種換気の全てに対応が可能で、住宅・事務所・工場及び第一次産業である農業・林業・漁業で必要となる、全般換気・局所換気に設置が可能である。尚、如何なる設置においても、換気場所の内外で通常発生する気圧差を、一機の設置で解決できる効果は大きい。更に、当該換気装置の小型化により、精密機器のパーツとしても利用価値が生まれ、コンピュータ内部に組み込まれたＣＰＵを冷却するＣＰＵクーラーとして、効率的な放熱と送風を同時に行い、帯熱部を冷却する部品となる。一方、本考案である換気装置を、他の設備と組み合わせて設置する場合、ダクトとの組み合わせが有効であり、当該換気装置の特徴で、同心円状となる給気用送風管と排気用送風管を共に伸張させ、ダクトに連結することで、送風管及びダクト自体が室内の温度を蓄積し放熱する熱交換機にも利用可能となる。この場合、単なる換気装置ではない空調の役目も持ち、給気用送風管と排気用送風管では、隣接した送風管の壁面を介し、給気の熱エネルギーと排気の熱エネルギーで熱交換が行われ、室内温度の急激な変化を回避する換気が行われる。更に、効率の良い熱交換を行う為に、冷暖房器具の有る室内での設置は、対流式暖房器具の有る室内では、その真上に給排気用ダクトを設置し、冷房機器の有る室内では、冷風が当たる位置に給排気用ダクトを設置する形態が、最良と判断する。
【手続補正６】
【補正対象書類名】明細書
【補正対象項目名】０００８
【補正方法】変更
【補正の内容】
【０００８】１        給気用プロペラファン
２        排気用プロペラファン
３        プロペラファン取付軸
４        プロペラファン取付軸固定基部
５−１    外側送風管シールド整流リング
５−２    内側送風管シールド整流リング
６−１    外部給気用送風管
６−２    内部給気用送風管
６−３    外部給気用送風管開口部
６−４    内部給気用送風管開口部
７−１    外部排気用送風管
７−２    内部排気用送風管
７−３    外部排気用送風管開口部
７−４    内部排気用送風管開口部
８−１    送風管固定用支柱
８−２    送風管固定用支柱
８−３    送風管固定用支柱
８−４    送風管固定用支柱
９−１    内部送風管合体結合部
９−２    外部送風管合体結合部
１０−１  内部送風管合体結合固定部
１０−２  外部送風管合体結合固定部
１１      送風管合体結合用ボルト
１２      送風管合体結合用ナット
１３      モーター
１４      モーター回転軸
Ａ        プロペラファン取付軸（３）設置用の隙間